(57)【要約】【課題】  コードなどが通される開口部への液体の進入を防止する実験台を提供する。【解決手段】  保持部材３と、保持部材３の両端部に取り付けられる脚部材５，５と、保持部材３および脚部材５，５に載せ置かれる天板７と、天板７の後方に設けられ、電気コードやチューブなどが通される案内部材１１１とを備える。天板７と案内部材１１１との間の溝には、シール材１７５がはめ込まれて設けられている。シール材１７５は、その一部が、天板７に重ね合わされて載せ置かれる。【選択図】  図１
2015196138.tif 000002
【特許請求の範囲】
【請求項１】
左右に離隔して設けられる脚部材と、
前記脚部材の後端部同士を架け渡すように設けられる保持部材と、
前記脚部材に載せ置かれて設けられる天板と、
前記保持部材に取り付けられて前記天板の後方に設けられ、ケーブル、コードまたはチューブなどが通される案内部材と、
前記天板と前記案内部材との間にはめ込まれ、その一部が前記案内部材の前端辺に沿って前記天板の上面に重ね合わされて設けられるか、前記天板と前記案内部材との間に水密状態ではめ込まれ、前記案内部材の前端辺に沿って前記天板の上面から上方へ突出して設けられるシール材と
を備えることを特徴とする実験台。
【請求項２】
前記シール材は、前記天板の上面から上方へ１ｍｍ〜７ｍｍ突出して設けられる
ことを特徴とする請求項１に記載の実験台。
【請求項３】
前記天板の後方に、前記案内部材と、コンセントを有したボックスが取り付け可能な連結部材が設けられる
ことを特徴とする請求項１または請求項２に記載の実験台。
【請求項４】
前記保持部材、前記脚部材および前記天板により構成され、背中合わせで配置される一対のデスクユニットと、
前記保持部材に取り付けられ、前記デスクユニット間に設けられる前記案内部材と、
前記天板と前記案内部材との間に設けられる前記シール材と
を備えることを特徴とする請求項１から請求項３までのいずれかに記載の実験台。
【発明の詳細な説明】
【技術分野】
【０００１】
本発明は、各種実験を行う際に使用される実験台に関するものである。
【背景技術】
【０００２】
大学などの教育機関や企業などの研究施設などでは、各種実験を行う際に、実験台が用いられている。従来、実験台は、左右に離隔して設けられる脚部材に天板が載せ置かれて構成されている。そして、天板の奥側に、上下に開口する開口部を有する案内部材（配線ダクト）が設けられている場合があり、この案内部材を介して、実験装置などの電源コードなどを天板の下方へ導出させることがある。これにより、天板上にコード類が散乱することがなく、作業が行い易い。
【発明の概要】
【発明が解決しようとする課題】
【０００３】
しかしながら、液体を天板上にこぼしてしまった場合、案内部材の開口部に液体が入り込んでしまうおそれがある。この場合、清掃が大変であり、また、案内部材には電気コードなどが収容されているため、装置が故障するおそれがあった。
【０００４】
本発明が解決しようとする課題は、コードなどが通される開口部への液体の進入を防止する実験台を提供することにある。
【課題を解決するための手段】
【０００５】
本発明は、前記課題を解決するためになされたもので、請求項１に記載の発明は、左右に離隔して設けられる脚部材と、前記脚部材の後端部同士を架け渡すように設けられる保持部材と、前記脚部材に載せ置かれて設けられる天板と、前記保持部材に取り付けられて前記天板の後方に設けられ、ケーブル、コードまたはチューブなどが通される案内部材と、前記天板と前記案内部材との間にはめ込まれ、その一部が前記案内部材の前端辺に沿って前記天板の上面に重ね合わされて設けられるか、前記天板と前記案内部材との間に水密状態ではめ込まれ、前記案内部材の前端辺に沿って前記天板の上面から上方へ突出して設けられるシール材とを備えることを特徴とする実験台である。
【０００６】
請求項２に記載の発明は、前記シール材は、前記天板の上面から上方へ１ｍｍ〜７ｍｍ突出して設けられることを特徴とする請求項１に記載の実験台である。
【０００７】
請求項３に記載の発明は、前記天板の後方に、前記案内部材と、コンセントを有したボックスが取り付け可能な連結部材が設けられることを特徴とする請求項１または請求項２に記載の実験台である。
【０００８】
さらに、請求項４に記載の発明は、前記保持部材、前記脚部材および前記天板により構成され、背中合わせで配置される一対のデスクユニットと、前記保持部材に取り付けられ、前記デスクユニット間に設けられる前記案内部材と、前記天板と前記案内部材との間に設けられる前記シール材とを備えることを特徴とする請求項１から請求項３までのいずれかに記載の実験台である。
【発明の効果】
【０００９】
本発明の実験台によれば、コードなどが通される開口部への液体の進入を防止できる。
【図面の簡単な説明】
【００１０】
【図１】本発明の実験台の一実施例を示す斜視図である。
【図２】図１の実験台の平面図である。
【図３】図１の実験台の分解斜視図である。
【図４】図１の実験台の保持部材を示す斜視図である。
【図５】図４のＡ−Ａ断面図である。
【図６】図４のＢ−Ｂ断面図である。
【図７】保持部材に脚部材を取り付けようとしている状態を示す図である。
【図８】保持部材に脚部材が取り付けられた状態を示す図である。
【図９】保持部材に第一支柱が取り付けられようとしている状態を示す図である。
【図１０】脚部材に横架材が取り付けられようとしている状態を示す図である。
【図１１】図１の実験台の一部分を示す分解斜視図である。
【図１２】第二連結部材が取り付けられる状態を示す分解斜視図である。
【図１３】図１の実験台の第二連結部材部分の正面視縦断面図である。
【図１４】図１の実験台の案内部材部分の側面視縦断面図である。
【図１５】図１の実験台の第二連結部材に、コンセントを有するボックスが取り付けられた状態を示す図である。
【図１６】第二連結部材に、コンセントを有するボックスが取り付けられようとしている状態を示す図である。
【図１７】図１の実験台の保持部材に引戸が取り付けられた状態を示す斜視図である。
【図１８】図１７の引戸付き実験台の保持部材の断面図である。
【図１９】図１の実験台の変形例１を示す斜視図である。
【図２０】図１９の実験台の分解斜視図である。
【図２１】図２０の一部を示す斜視図である。
【図２２】図２０の一部を示す斜視図であり、後方から見た図である。
【図２３】図１の実験台の変形例２を示す斜視図である。
【図２４】図２３の実験台の一部を示す分解斜視図であり、保持部材に第二支柱が取り付けられようとしている状態を示している。
【図２５】図２３の実験台の一部を示す分解斜視図である。
【図２６】図２３の実験台の側面視縦断面図である。
【図２７】図２３の実験台において、第二支柱から棚および収納ボックスが取り外された状態を示す斜視図である。
【図２８】図１の実験台の変形例３を示す斜視図である。
【図２９】図２８の実験台の分解斜視図である。
【図３０】図２８の実験台において、天板が取り外された状態を示す斜視図である。
【発明を実施するための形態】
【００１１】
以下、本発明の実験台の一実施例について図面に基づいて具体的に説明する。
【００１２】
図１から図３は、本発明の実験台の一実施例を示す図であり、図１は斜視図、図２は平面図、図３は分解斜視図である。また、図４は、図１の実験台の保持部材を示す斜視図であり、図５は、図４のＡ−Ａ断面図、図６は、図４のＢ−Ｂ断面図である。また、図７は、保持部材に脚部材を取り付けようとしている状態を示す図であり、図８は、保持部材に脚部材が取り付けられた状態を示す斜視図である。さらに、図９は、保持部材に第一支柱が取り付けられようとしている状態を示す図であり、図１０は、脚部材に横架材が取り付けられようとしている状態を示す斜視図である。
【００１３】
本実施例の実験台１は、矩形枠状の保持部材３と、この保持部材３の両端部に取り付けられる脚部材５，５と、保持部材３および脚部材５，５に載せ置かれる天板７と、天板７の後方に設けられ、電気コードやチューブなどが通される案内部材１１１とを主要部に備える。
【００１４】
保持部材３は、左右（実験台１の幅方向）に離隔して設けられる縦材９，９と、この左右一対の縦材９，９の上端部同士を架け渡すように設けられる上材１１と、縦材９，９の下端部同士を架け渡すように設けられる下材１３とを備える。縦材９、上材１１および下材１３は、それぞれ金属材により形成されている。
【００１５】
左右の縦材９，９は、左右方向内側へ開口する断面略コ字形の柱材とされる。縦材９は、その後片１５が前片１７より左右方向内側へ突出して形成されている。
【００１６】
上材１１は、下方へ開口する断面略コ字形の左右方向へ延出する部材とされる。上材１１は、その後片１９が、前片２１より下方へ突出して形成されている。また、上材１１は、その前片２１の下端部から後方へ水平に延出して取付片２３が形成されている。上材１１は、縦材９の前片１７の上端部に載せ置かれると共に、その後片１９の左右両端部が、それぞれ縦材９の後片１５の上端部前面に重ね合わされて、縦材９に溶接にて固定される。
【００１７】
下材１３は、下方へ開口する断面略コ字形の左右方向へ延出する部材とされる。下材１３は、その後片２５が、前片２７より下方へ突出して形成されている。
【００１８】
下材１３は、その後片２５の左右両端部が、それぞれ縦材９の前片１７の下端部の前面に重ね合わされて、縦材９にネジ２９により固定されている。
【００１９】
このように、左右に離隔して設けられる縦材９，９に、上材１１と下材１３が取り付けられて矩形枠状の保持部材３が構成される。
【００２０】
脚部材５は、矩形板状とされ、中空状に形成されている。脚部材５は、その左右方向内側壁の内面に、ナット３３が固定されている。脚部材５は、その後端部が、保持部材３の縦材９の中央片３５にネジ３７により固定される。具体的には、脚部材５は、その左右方向内側壁の後端部に、縦材９の中央片３５が重ね合わされて、中央片３５から脚部材５のナット３３にネジ３７がねじ込まれて、脚部材５が保持部材３に固定される。縦材９の中央片３５には、ネジ３７が通される貫通穴３９が予め形成されている。このようにして、左右に離隔して設けられた脚部材５，５の後端部同士を架け渡すように保持部材３が設けられる。
【００２１】
保持部材３には、脚部材５に連続するように、第一支柱４１が取り付けられる。第一支柱４１は、左右方向内側へ開口する断面略コ字形の柱材とされる。第一支柱４１は、その前片４３が後片４５より左右方向内側へ突出して形成されている。また、第一支柱４１の上端部には、左右方向内側へ水平に突出して、矩形板状の上片４７が形成されている。
【００２２】
第一支柱４１は、その前片４３が、保持部材３の縦材９の後片１５に、後方から重ね合わされてネジ４９により固定される。保持部材３の縦材９の後片１５には、ネジ４９が通される貫通穴５０が予め形成されている。
【００２３】
保持部材３に固定された第一支柱４１は、その中央片５１が、脚部材５の左右方向外側壁と面一に設けられている。つまり、脚部材５と第一支柱４１は、各左右方向外側面が面一に配置される。
【００２４】
脚部材５の前端部の上端部同士を架け渡すように、横架材５５が設けられる。横架材５５は、断面矩形状の左右方向へ延出する部材とされる。横架材５５は、その左右両端部に、それぞれ前後に離隔して２つのフック部６５，６５が設けられている。
【００２５】
横架材５５は、脚部材５の上端部の前端部に形成された溝６７，６７に、フック部６５，６５が引っ掛けられることで、脚部材５，５を架け渡すように取り付けられる。横架材５５が脚部材５，５に取り付けられた状態では、横架材５５の上面と脚部材５の上面とが面一に配置される。なお、本実施例では、各脚部材５に、１対の溝６７，６７が、前後に離隔して２組形成されており、脚部材５，５同士を架け渡すように、横架材５５を２つ取り付けることが可能とされる。
【００２６】
天板７は、矩形板状とされる。本実施例では、天板７の上面は、耐薬性および耐食性を有する素材により形成されている。
【００２７】
本実施例では、保持部材３、脚部材５，５および横架材５５に天板７が載せ置かれる。そして、横架材５５および保持部材３の上材１１の中央片７１から、天板７の裏面にネジがねじ込まれて、天板７が固定される。本実施例では、天板７の表面（上面）に穴などを形成するなどの加工を施すことなく、天板７を取り付けることができる。
【００２８】
図１１は、図１の実験台の一部分を示す分解斜視図であり、図１２は、第二連結部材が取り付けられる状態を示す分解斜視図である。また、図１３は、図１の実験台の第二連結部材部分の正面視縦断面図であり、図１４は、図１の実験台の案内部材部分の側面視縦断面図である。
【００２９】
天板７の後方に、電気コードやチューブなどが通される案内部材１１１が設けられる。本実施例では、天板７の奥側に、左右に離隔して案内部材１１１が２つ設けられる。
【００３０】
案内部材１１１は、前後に離隔して設けられる一対の支持部材１１３，１１３と、この支持部材１１３の左右両端部に設けられる接続部材１１５，１１５と、各支持部材１１３に取り付けられるカバー１１７，１１７とを有する。
【００３１】
支持部材１１３は、上方へ開口する断面略コ字形の左右方向へ延出する部材とされる。前後に離隔して設けられる各支持部材１１３は、その前後方向内側の一片１１９が、前後方向外側の他片１２１より上方へ突出して形成されている。
【００３２】
２つの支持部材１１３、１１３は、左右に離隔して設けられる接続部材１１５，１１５により一体化されている。左右に離隔して設けられる接続部材１１５，１１５は、板状とされると共に、その上端部から左右方向外側へ突出して矩形板状の第一取付片１２５が形成され、その前端部から左右方向外側へ突出して矩形板状の第二取付片１２７が形成されている。
【００３３】
前後に離隔して配置される一対の支持部材１１３，１１３は、その左右各端部が、それぞれ接続部材１１５に固定される。このように、支持部材１１３および接続部材１１５が一体化されて、平面視において矩形状の枠体が構成される。
【００３４】
カバー１１７は、合成樹脂により形成されている。カバー１１７は、矩形板状とされる上片１３１と、この上片１３１の基端部（前後方向外端部）から下方へ突出する係止片１３３と、上片１３１の前後方向中央部から下方へ突出する矩形板状の取付部１３５とを有する。
【００３５】
カバー１１７の上片１３１には、下方へ凹んで矩形状の凹部１３１ａが左右方向に沿って形成されている。
【００３６】
係止片１３３は、上片１３１の基端部から垂直に下方へ延出した後、前後方向外側へ水平に延出し、さらに下方へ突出して形成されて段付きに形成されている。
【００３７】
取付部１３５には、その前後方向中央部に、下方へ開口する溝１３９が左右方向に沿って形成されている。
【００３８】
カバー１１７の先端部には、矩形板状のヒレ状の開閉部１４３が、取り付けられている。開閉部１４３は、合成樹脂製とされ、弾性変形可能とされる。本実施例では、開閉部１４３は、オレフィン系樹脂により形成されている。開閉部１４３は、その基端部が、カバー１１７の先端部に取り付けられて、略水平に延出して設けられている。
【００３９】
カバー１１７は、その取付部１３５の溝１３９に、支持部材１１３の一片１１９が差し込まれて、支持部材１１３に取り付けられる。
【００４０】
前後に離隔する各支持部材１１３にカバー１１７がそれぞれ取り付けられた状態では、各カバー１１７の開閉部１４３の先端部同士が近接して配置される。
【００４１】
各案内部材１１１は、接続部材１１５の第二取付片１２７が保持部材３の上材１１の後片１９に重ね合わされてネジ１４７により保持部材３に固定される。保持部材３の上材１１の後片１９には、ネジ１４７が通される貫通穴１４９が予め形成されている。
【００４２】
本実施例では、案内部材１１１，１１１間に第一連結部材１５１が取り付けられる。また、各案内部材１１１の左右方向外側にそれぞれ第二連結部材１５３が取り付けられる。つまり、左側の案内部材１１１の左側、および、右側の案内部材１１１の右側に、それぞれ第二連結部材１５３が取り付けられる。各連結部材１５１，１５３および案内部材１１１は、左右方向に沿って一連に設けられる。
【００４３】
第一連結部材１５１は、下方へ開口する矩形箱状とされ、その左右両側壁の下端部から左右方向外側へ突出して、矩形板状の取付片１５５，１５５が形成されている。
【００４４】
第一連結部材１５１は、案内部材１１１，１１１間に配置されて、左右の取付片１５５，１５５が、各案内部材１１１の左右方向内側の接続部材１１５の第一取付片１２５に重ね合わされて、ネジにより固定される。
【００４５】
第二連結部材１５３は、下方へ開口する矩形箱状とされ、その左右両側壁の下端部から、左右方向外側へ突出して、矩形板状の取付片１５９，１５９が形成されている。
【００４６】
各第二連結部材１５３は、左右方向内側の取付片１５９が、各案内部材１１１の左右方向外側の接続部材１１５の第一取付片１２５に重ね合わされてネジにより固定される。
また、各第二連結部材１５３は、左右方向外側の取付片１５９が、第一支柱４１の上片４７に重ね合わされてネジ１６１により固定される。
【００４７】
第二連結部材１５３の左右方向外側端部には、キャップ１６５が取り付けられる。キャップ１６５は、下方へ開口する箱形状とされると共に、その一側壁部には、左右方向内側へ突出して、略Ｌ字形の引掛け部１６７が形成されている。キャップ１６５は、その引掛け部１６７が、接続部材１１５に形成されたＴ字状の貫通穴１６９にはめ込まれて接続部材１１５に着脱可能に取り付けられると共に、第一支柱４１の上端部に載せ置かれる。
【００４８】
案内部材１１１が保持部材３に取り付けられた状態では、案内部材１１１と天板７との間には、隙間が形成されている。具体的には、各案内部材１１１の手前側のカバー１１７の係止片１３３の上端部１３３ａと、天板７との間に隙間が形成されている。また、各連結部材１５１，１５３と天板７との間にも隙間が形成されている。これにより、天板７の奥側には、左右方向に沿って上方へ開口する矩形状の溝１７３が形成されている。
【００４９】
この溝１７３に、シール材１７５がはめ込まれて設けられる。シール材１７５は、断面略Ｔ字形状とされ、その上端部１７７の中央部は、上方へ円弧状に膨出した形状とされている。また、シール材１７５の下端部１７９は、断面略矩形状とされ、その前後壁面には、前後方向外側へ突出してヒダ状部１８１が形成されており、図示例では、前後各壁面にそれぞれ上下に離隔して３段のヒダ状部１８１が形成されている。
【００５０】
シール材１７５は、その下端部１７９が、前記溝１７３にはめ込まれて着脱可能に取り付けられる。シール材１７５は、天板７の奥側において、キャップ１６５，１６５間に左右方向に沿って設けられる。また、シール材１７５は、その上端部１７７の外側端部１７７ａ，１７７ａが、それぞれ天板７およびカバー１１７の上片１３１に左右方向に沿って重ね合わされて載せ置かれる。シール材１７５が溝１７３にはめ込まれた状態において、シール材１７５の上端部１７７は、天板７の上面（表面）から上方へ１ｍｍ〜７ｍｍ程度突出して設けられる。また、より好ましくは、各種実験機器などが天板７に載せ置かれる際に邪魔にならないように、シール材１７５の上端部１７７は、天板７の上面（表面）から上方へ１．５ｍｍ〜４ｍｍ程度突出して設けられる。本実施例では、天板７の上面と、シール材１７５の上端部１７７との距離ｈが３ｍｍとされている。
【００５１】
本実施例では、ヒレ状の開閉部１４３が弾性変形することで、案内部材１１１の開閉部１４３，１４３間に、天板７に載置される各種機器の電気コードＣやケーブル、および、機器に液体を供給するチューブまたは機器から排出される液体が通されるチューブなどが通されて、天板７の下方へ導出させることができる。これにより、天板７上に各種コードやチューブなどが散乱することがなく、作業の邪魔にならない。
【００５２】
また、床に設置される各種機器に接続されたコード、ケーブルまたはチューブなどを、案内部材１１１の開閉部１４３，１４３間に通して、天板７上へ延出させることも可能である。
【００５３】
本実施例では、保持部材３に天板７の後端部が載せ置かれて固定されると共に、保持部材３に案内部材１１１が取り付けられて、天板７の近傍に案内部材１１１が設けられる。これにより、天板７に載せ置かれる各種機器のケーブルやチューブなどを、案内部材１１１を介して下方へ導出することができ、天板７上を整理しやすい。
【００５４】
本実施例では、天板７の後方にシール材１７５が設けられていることで、液体を天板７上にこぼしても、シール材１７５により案内部材１１１の開閉部１４３，１４３間に液体が進入することを阻止することができる。また、万一、天板７とシール材１７５の上端部１７７の外側端部１７７ａとの間から液体が進入したとしても、ヒダ状部１８１により液体が溝１７３の下方へ入りこむのを阻止することができる。さらに、万一、液体が、シール材１７５を超えて案内部材１１１の開閉部１４３側に移動しても、カバー１１７の凹部１３１ａに液体が溜まることで、開閉部１４３，１４３間への進入を防止することができる。
【００５５】
図１５は、図１の実験台の第二連結部材に、コンセントを有するボックスが取り付けられた状態を示す図である。図１６は、第二連結部材に、コンセントを有するボックスが取り付けられようとしている状態を示す図である。
【００５６】
ところで、本実施例では、コンセントを有するボックスや、ガスの供給口（元栓）を有するボックスを各連結部材１５１，１５３に取り付けることが可能である。
【００５７】
たとえば、コンセントを有したボックス１８５を、第二連結部材１５３に取り付けることができる。具体的には、第二連結部材１５３の板状の上部に、貫通穴１８７を形成し、この貫通穴１８７を介してボックス１８５から延出するコード１８９を下方へ導出させて電源に接続する。たとえば、コード１８９に取り付けられたプラグを、部屋の壁面のコンセントに差し込む。そして、ボックス１８５は、第二連結部材１５３の上部に載せ置かれてネジ１９１で固定される。
【００５８】
このように、コンセントを有するボックス１８５が天板７の近傍に取り付けられることで、天板７上に載置される各種機器のプラグの抜き差しが容易となる。また、機器とボックス１８５との距離が離れる場合には、案内部材１１１を介して一旦コードを天板７の下方へ通し、ボックス１８５付近で再度天板７の上方へ出して差すことで、コードが邪魔にならない。
【００５９】
同様に、ガスの供給口（元栓）を有したボックスを、各連結部材１５１，１５３に取り付けることができる。このように、本実施例では、天板７の表面（上面）に加工を施すことなく、電気やガスなどのエネルギー供給源を天板７の近傍に設けることができる。
【００６０】
ところで、保持部材３には、引戸を取り付けることができる。
【００６１】
図１７は、図１の実験台の保持部材に引戸が取り付けられた状態を示す斜視図である。図１８は、図１７の引戸付きの実験台の保持部材の断面図である。
【００６２】
具体的には、保持部材３の上材１１の取付片２３に上レール材１９３が設けられ、下材１３の中央片１９４に下レール材１９５が設けられる。
【００６３】
上レール材１９３は、断面略矩形状の棒材とされ、その下端部には、前後に離隔して下方へ開口する溝１９３ａ，１９３ｂが、左右方向に沿って形成されている。
【００６４】
上レール材１９３は、保持部材３の上材１１の取付片２３の下面に重ね合わされて固定されている。
【００６５】
下レール材１９５は、断面略矩形の左右方向へ延出する部材とされ、前後に離隔して、上方へ開口する溝１９５ａ，１９５ｂが、左右方向に沿って形成されている。
【００６６】
下レール材１９５は、保持部材３の下材１３の中央片１９４に載せ置かれて下材１３に固定されている。
【００６７】
上レール材１９３および下レール材１９５に、２枚の矩形板状の戸板１９７，１９８が左右方向にスライド可能に設けられる。具体的には、一方の戸板１９７の上下端部が、それぞれ上レール材１９３の手前側の溝１９３ａと下レール材１９５の手前側の溝１９５ａにはめ込まれて設けられる。また、他方の戸板１９８の上下端部が、それぞれ上レール材１９３の奥側の溝１９３ｂと下レール材１９５の奥側の溝１９５ｂにはめ込まれて設けられる。
【００６８】
このように、保持部材３の枠内に開閉可能に戸板１９７，１９８をそれぞれ左右に配置した状態では、保持部材３の枠内が塞がれ、保持部材３の後方に配置される配管や各種ケーブルなどを隠すことができる。
【００６９】
次に、本実施例の実験台の変形例１について説明する。
【００７０】
図１９および図２０は、図１の実験台の変形例１を示す図であり、図１９は斜視図、図２０は分解斜視図である。また、図２１は、図２０の一部を示す斜視図であり、図２２は、図２０の一部を示す斜視図であり、後方から見た図である。
【００７１】
本変形例１の実験台１は、基本的には前記実施例と同様である。そこで、以下においては、前記実施例と異なる点を中心に説明し、対応する箇所には同一の符号を付して説明する。
【００７２】
本変形例１では、前記実施例と同様、保持部材３の左右両端部に、脚部材５，５が取り付けられ、脚部材５，５同士を架け渡すように、横架材５５が取り付けられる。そして、保持部材３、脚部材５，５および横架材５５に、天板７が載せ置かれて固定される。
【００７３】
本変形例１では、保持部材３に左右に離隔して第二支柱２０１，２０１が設けられる。また、天板７の奥側には、前記実施例と同様、左右に離隔して案内部材１１１，１１１が２つ設けられる。
【００７４】
第二支柱２０１は、断面略矩形状とされる。第二支柱２０１の下端部には、取付金具２０３，２０３が上下に離隔して、２つ固定される。取付金具２０３は、略Ｌ字形の板材とされ、その一片２０５が第二支柱２０１の左右方向内側面に重ね合わされて固定されている。
【００７５】
取付金具２０３の他片２０９は、保持部材３の縦材９の後片１５にネジ２１１により固定され、これにより第二支柱２０１が保持部材３に固定される。保持部材３の縦材９の後片１５には、第二支柱２０１を取り付けるためのネジ２１１が通される貫通穴２１３が予め形成されている。
【００７６】
第二支柱２０１が保持部材３に取り付けられた状態において、脚部材５と第二支柱２０１は、その左右方向外側面が面一に配置される。また、第二支柱２０１は、天板７から上方へ延出して設けられると共に、その下端部が床に接地するように保持部材３に取り付けられる。
【００７７】
第二支柱２０１間には、前記実施例と同様に、案内部材１１１が２つ設けられる。各案内部材１１１は、その接続部材１１５の第二取付片１２７が、保持部材３の上材１１の後片１９にネジにより固定されて、保持部材３に取り付けられる。また、前記実施例と同様に、案内部材１１１，１１１間には、第一連結部材１５１が設けられ、各案内部材１１１の左右方向外側に、それぞれ第二連結部材１５３が設けられる。
【００７８】
第一連結部材１５１は、前記実施例と同様の構成とされ、案内部材１１１，１１１間に配置される。そして、第一連結部材１５１は、その取付片１５５，１５５が案内部材１１１の接続部材１１５の第一取付片１２５にネジにより固定されて、案内部材１１１に取り付けられる。
【００７９】
本変形例１では、第二連結部材１５３は、下方へ開口する箱形状とされると共に、その左右方向外側壁から下方へ突出して取付片２１９が形成されている。また、左右方向内側壁の下端部から左右方向内側に突出して取付片２２１が形成されている。第二連結部材１５３は、その左右方向外側の取付片２１９が、第二支柱２０１の左右方向内側壁に重ね合わされてネジにより固定される。また、第二連結部材１５３は、その左右方向内側の取付片２２１が、各案内部材１１１の左右方向外側の接続部材１１５の第一取付片１２５にネジにより固定される。
【００８０】
本変形例１においても、前記実施例と同様、天板７と案内部材１１１との間、および天板７と各連結部材１５１，１５３との間にシール材１７５がはめ込まれて設けられる。
【００８１】
左右に離隔して設けられた第二支柱２０１，２０１には、その上端部同士を架け渡すように横材２３１が設けられる。そして、図１９に示すように、第二支柱２０１，２０１同士を架け渡すように、棚２３５が設けられる。図示例では、棚２３５は、上下に２段設けられている。また、横材２３１の下部には、収納ボックス２３７が取り付けられる。
【００８２】
本変形例１では、保持部材３に第二支柱２０１が取り付けられることで、天板７の上方に棚や収納ボックスなどの収納部が設けられ、収納スペースを確保することができる。第二支柱２０１に取り付けられる棚や収納ボックスの数および構成は、適宜変更可能である。
【００８３】
次に、前記実施例の実験台の変形例２について説明する。
【００８４】
図２３は、図１の実験台の変形例２を示す斜視図である。また、図２４は、図２３の実験台の一部を示す分解斜視図であり、保持部材に第二支柱が取り付けられようとしている状態を示している。また、図２５は、図２３の実験台の一部を示す分解斜視図であり、図２６は、図２３の実験台の側面視縦断面図である。さらに、図２７は、図２３の実験台において、第二支柱から棚および収納ボックスが取り外された状態を示す斜視図である。
【００８５】
本変形例２の実験台１は、基本的には前記実施例および前記変形例１と同様である。そこで、以下においては、前記実施例および前記変形例１と異なる点を中心に説明し、対応する箇所には同一の符号を付して説明する。
【００８６】
本変形例２では、保持部材３、脚部材５，５、横架材５５および天板７により構成されるデスクユニット２５１が、前後に２つ設けられる。具体的には、保持部材３の左右両端部に脚部材５，５が取り付けられ、脚部材５，５同士を架け渡すように横架材５５が設けられ、保持部材３、脚部材５，５および横架材５５に天板７が載せ置かれて構成されるデスクユニット２５１が、前後に２つ設けられる。２つのデスクユニット２５１，２５１は、保持部材３，３同士が背中合わせとなるように配置される。
【００８７】
本変形例２では、このデスクユニット２５１，２５１間に、第二支柱２０１および案内部材１１１が設けられる。
【００８８】
第二支柱２０１の前後両端部には、それぞれ第三支柱２５５，２５５が取り付けられている。各第三支柱２５５は、左右方向内側へ開口する断面略コ字形の柱材とされ、その前後方向内側の一端片２５７が、第二支柱２０１の前後端部にそれぞれ重ね合わされて固定されている。第三支柱２５５の中央片２５９は、第二支柱２０１の左右方向外側面と面一に配置される。
【００８９】
第二支柱２０１の左右方向内側面には、上下に離隔して２つの取付金具２６５，２６５が取り付けられる。取付金具２６５は、左右方向内側へ開口する断面略コ字形の板材とされ、その中央片２６７が第二支柱２０１の左右方向内側壁に重ね合わされて固定されている。
【００９０】
取付金具２６５の前後各端片２７１，２７１は、それぞれ前後に離隔して設けられるデスクユニット２５１の保持部材３の縦材９の後片１５にネジ２７２により固定される。このように、第二支柱２０１を介して前後に配置されるデスクユニット２５１の保持部材３，３同士が連結される。保持部材３の縦材９の後片１５には、前記変形例と同様、ネジ２７２が通される貫通穴２１３が予め形成されている。また、本変形例では、天板７の後端部が第三支柱２５５に載せ置かれる。
【００９１】
第二支柱２０１，２０１間には、案内部材１１１が左右に離隔して２つ設けられる。
【００９２】
本変形例では、接続部材１１５は、左右方向外側へ開口するコ字形状の板材とされると共に、その中央片２７３の上端部から左右方向外側へ突出して、矩形板状の取付片２７４が形成されている。前後に離隔して配置される一対の支持部材１１３，１１３は、その左右各端部が、接続部材１１５の中央片２７３に固定される。
【００９３】
接続部材１１５は、その前後各端片２７５，２７５が、それぞれ各デスクユニット２５１の保持部材３の上材１１の後片１９に、ネジ２７７により固定される。後片１９には、ネジ２７７が通される貫通穴２７９が予め形成されている。案内部材１１１，１１１間には、第一連結部材１５１が取り付けられ、各案内部材１１１の左右方向外側には、それぞれ第二連結部材１５３が取り付けられる。
【００９４】
第一連結部材１５１の取付片１５５、１５５は、各案内部材１１１の左右方向内側の接続部材１１５の取付片２７４に、ネジにより固定される。
【００９５】
第二連結部材１５３は、前記変形例１と同様とされ、その左右方向内側の取付片２２１が、各案内部材１１１の左右方向外側の接続部材１１５の取付片２７４にネジ止めされる。また、第二連結部材１５３は、その左右方向外側の取付片２１９が、第二支柱２０１の左右方向内側壁に重ね合わされてネジにより固定される。
【００９６】
本変形例においても、前記実施例と同様、天板７と案内部材１１１のカバー１１７との間、および天板７と各連結部材１５１，１５３との間にシール材１７５がはめ込まれて設けられる。
【００９７】
本変形例では、前後に離隔して設けられたデスクユニット２５１，２５１の保持部材３，３に、案内部材１１１が取り付けられて、天板７，７間に案内部材１１１が配置される。また、本変形例では、保持部材３に第二支柱２０１が取り付けられており、第二支柱２０１の前後にそれぞれ、棚２３５や収納ボックス２３７などの収納スペースを設けることができる。
【００９８】
次に、前記実施例の実験台の変形例３について説明する。
【００９９】
図２８および図２９は、図１の実験台の変形例３を示す図であり、図２８は斜視図、図２９は分解斜視図である。また、図３０は、図２８の実験台において、天板を取り外した状態を示す斜視図である。
【０１００】
本変形例３の実験台は、基本的には前記実施例および前記各変形例と同様である。そこで、以下においては、前記実施例および前記各変形例と異なる点を中心に説明し、対応する箇所には同一の符号を付して説明する。
【０１０１】
本変形例３の実験台１は、前記変形例２において、第二支柱２０１と第三支柱２５５の代わりに第四支柱３０３を設けた構成とされる。具体的には、本変形例では、前後に設けられたデスクユニット２５１，２５１同士が、第四支柱３０３により連結される。
【０１０２】
第四支柱３０３は、左右方向内側へ開口する断面略コ字形の柱材とされると共に、その上端部から左右方向内側へ水平に延出して、矩形板状の上片３０５が形成されている。
【０１０３】
第四支柱３０３は、その前後各端片３０７，３０７が、前後に配置された各デスクユニット２５１の保持部材３の縦材９の後片１５にネジ止めされる。後片１５には、ネジが通される貫通穴が予め形成されている。このようにして、前後に配置されたデスクユニット２５１の保持部材３，３同士が連結される。
【０１０４】
そして、保持部材３、脚部材５，５および横架材５５に、天板７がそれぞれ載せ置かれて固定されると共に、天板７，７間に案内部材１１１が左右に離隔して２つ設けられる。本変形例では、天板７の後端部が、第四支柱３０３に載せ置かれる。案内部材１１１，１１１間には、第一連結部材１５１が設けられ、各案内部材１１１の左右方向外側には、前記実施例と同様の第二連結部材１５３が取り付けられる。また、第二連結部材１５３の左右方向外側端部には、前記実施例と同様、キャップ１６５が取り付けられる。本変形例においても、天板７と案内部材１１１との間、および天板７と各連結部材１５１，１５３との間にシール材１７５がはめ込まれて設けられる。
【０１０５】
本発明の実験台は、前記実施例および前記各変形例の構成に限らず、適宜変更可能である。たとえば、前記実施例では、保持部材３は、矩形枠状とされたが、矩形板状としてもよい。また、保持部材３を棒状や柱状とし、脚部材５，５の後端部同士を架け渡す構成としてもよい。この際、剛性を高くするために、上下に離隔して２本の保持部材を脚部材５，５に取り付けるようにしてもよい。このように、脚部材５、５同士を連結し、前記案内部材１１１を取り付けられる構成であれば、保持部材３の構成は適宜変更可能である。
【０１０６】
また、前記実施例では、脚部材５，５同士を架け渡すように、横架材５５を１つ取り付けたが、前後に離隔して２つ取り付けるようにしてもよい。
【０１０７】
また、前記実施例では、案内部材１１１が左右に離隔して２つ設けられたが、１つ、または３つ以上としてもよく、その数は適宜変更可能である。
【０１０８】
さらに、シール材１７５の形状も適宜変更可能である。たとえば、シール材１７５は、断面矩形状とされ、その下端部が溝１７３に水密状態ではめ込まれ、上端部が天板７の上面から上方へ突出して設けられるようにしてもよい。
【符号の説明】
【０１０９】
１  実験台
３  保持部材
５  脚部材
７  天板
４１  第一支柱
１１１  案内部材
１５１  第一連結部材
１５３  第二連結部材
１７５  シール材
２０１  第二支柱
【図１】
2015196138.tif 000003
【図２】
2015196138.tif 000004
【図３】
2015196138.tif 000005
【図４】
2015196138.tif 000006
【図５】
2015196138.tif 000007
【図６】
2015196138.tif 000008
【図７】
2015196138.tif 000009
【図８】
2015196138.tif 000010
【図９】
2015196138.tif 000011
【図１０】
2015196138.tif 000012
【図１１】
2015196138.tif 000013
【図１２】
2015196138.tif 000014
【図１３】
2015196138.tif 000015
【図１４】
2015196138.tif 000016
【図１５】
2015196138.tif 000017
【図１６】
2015196138.tif 000018
【図１７】
2015196138.tif 000019
【図１８】
2015196138.tif 000020
【図１９】
2015196138.tif 000021
【図２０】
2015196138.tif 000022
【図２１】
2015196138.tif 000023
【図２２】
2015196138.tif 000024
【図２３】
2015196138.tif 000025
【図２４】
2015196138.tif 000026
【図２５】
2015196138.tif 000027
【図２６】
2015196138.tif 000028
【図２７】
2015196138.tif 000029
【図２８】
2015196138.tif 000030
【図２９】
2015196138.tif 000031
【図３０】
2015196138.tif 000032